(57)【要約】【課題】洗面台の下などに収納して使用する小型の電気温水器のお湯切れを防止する。【解決手段】  上方に給湯口１１と下方に給水口１０とを設けた貯湯タンク６と、給湯口１１のある上方の水を加熱するヒータと、給水口の１０ある下方の水を加熱するヒータと、水の温度を検出する温度検出手段９と、複数のヒータへの電力の供給を行う電気接続を変更するＯＮ／ＯＦＦ切り替え装置５と、温度検出手段９の検出結果に基づいてＯＮ／ＯＦＦ切り替え装置５を制御する制御手段とを備えた電気温水器において、制御手段は、水の保温時は、上方の水を加熱する火力より下方の水を加熱する火力を強くなるように前記ＯＮ／ＯＦＦ切り替え装置５を制御し、お湯を大量に使用していると判断した時は、下方の水を加熱する火力より上方の水を加熱する火力を強くなるようにＯＮ／ＯＦＦ切り替え装置５を制御するものである。【選択図】図２
2018146151.tif 000002
【特許請求の範囲】
【請求項１】
上方にお湯を出す給湯口と下方に水の流れ入る給水口とを設けた貯湯タンクと、
該貯湯タンクの前記給湯口のある上方の水を加熱するヒータと、
前記貯湯タンクの前記給水口のある下方の水を加熱するヒータと、
前記貯湯タンク内の水の温度を検出する温度検出手段と、
前記複数のヒータへの電力の供給を行う電気接続を変更するＯＮ／ＯＦＦ切り替え装置と、
前記温度検出手段の検出結果に基づいて前記ＯＮ／ＯＦＦ切り替え装置を制御する制御手段とを備えた電気温水器において、
前記制御手段は、
前記貯湯タンクの水の保温時は、前記給湯口のある上方の水を加熱する火力より記給水口のある下方の水を加熱する火力を強くなるように前記ＯＮ／ＯＦＦ切り替え装置を制御し、お湯を大量に使用していると判断した時は、記給水口のある下方の水を加熱する火力より前記給湯口のある上方の水を加熱する火力を強くなるように前記ＯＮ／ＯＦＦ切り替え装置を制御することを特徴とする電気温水器。
【発明の詳細な説明】
【技術分野】
【０００１】
本発明は、洗面台の下などに収納して使用する電気温水器に関するものである。
【背景技術】
【０００２】
従来この種の電気温水器においては、お湯切れを防止する方法が数多く公開されている。
【０００３】
特許文献１に示す電気温水器では、貯湯タンクの上下に複数のヒータを設け、お湯切れ近くに成ったら貯湯タンクの上部に設けたヒータによって上層部から順次沸き上げられるように工夫されたものである。
【先行技術文献】
【特許文献】
【０００４】
【特許文献１】特開平１１−３３７１８０号公報
【発明の概要】
【発明が解決しようとする課題】
【０００５】
上記した特許文献１における構造において、洗面台の下などに収納して使用する電気温水器の貯湯タンクは高さ方向の寸法が取れないため、お湯を使用すると新たな水が貯湯タンク内に入り貯湯タンク内の水が混ざり、上層部から順次沸き上げることが出来ず、貯湯タンク内の水全体の温度が低下する課題が考えられる。
【課題を解決するための手段】
【０００６】
本発明は、上記従来の課題を解決するためになされたものであり、上方にお湯を出す給湯口と下方に水の流れ入る給水口とを設けた貯湯タンクと、該貯湯タンクの前記給湯口のある上方の水を加熱するヒータと、前記貯湯タンクの前記給水口のある下方の水を加熱するヒータと、前記貯湯タンク内の水の温度を検出する温度検出手段と、前記複数のヒータへの電力の供給を行う電気接続を変更するＯＮ／ＯＦＦ切り替え装置と、前記温度検出手段の検出結果に基づいて前記ＯＮ／ＯＦＦ切り替え装置を制御する制御手段とを備えた電気温水器において、前記制御手段は、前記貯湯タンクの水の保温時は、前記給湯口のある上方の水を加熱する火力より記給水口のある下方の水を加熱する火力を強くなるように前記ＯＮ／ＯＦＦ切り替え装置を制御し、お湯を大量に使用していると判断した時は、記給水口のある下方の水を加熱する火力より前記給湯口のある上方の水を加熱する火力を強くなるように前記ＯＮ／ＯＦＦ切り替え装置を制御するものである。
【発明の効果】
【０００７】
本発明によれば、洗面台の下などに収納して使用する小型の電気温水器のお湯切れを防止することができる。
【図面の簡単な説明】
【０００８】
【図１】本発明の一実施形態に係る電気温水器の設置例を示す説明図である。
【図２】同電気温水器に設けたシーズヒータとシーズヒータの接続を示す説明図である。
【図３】同電気温水器の湯切れを防止するシーズヒータの接続を示す説明図である。
【図４】同電気温水器の保温中のシーズヒータの接続を示す説明図である。
【発明を実施するための形態】
【０００９】
以下、本発明の実施例について図面を用いて詳細に説明する。
【００１０】
図１は本発明の電気温水器の設置状態を示す図である。
【００１１】
電気温水器１００の貯湯タンク６に水を供給する給水口１０には水道管より水を供給する給水管１２が接続され、貯湯タンク６内のお湯は給湯口１１から給湯管１３によって水栓１０１に送られる。
【００１２】
また、電気温水器１００には、水道管と直結している給水管１２と貯湯タンク６の給水口１０の間に減圧弁２４を設け、また貯湯タンク６の給湯口１１と給湯管１３の間に逃し弁２５を設けている。減圧弁２４は、貯湯タンク６内の圧力を所定の圧力以下に保持するために水道管等から直接流れくる水圧を抑えるものである。また逃し弁２５は、貯湯タンク６内の湯温が高くなることによる圧力の過剰上昇を防止するため、貯湯タンク６内の圧力を所定の圧力以下に保持するものである。
【００１３】
図２は本発明に係る貯湯タンク６内に設けたシーズヒータの配列とシーズヒータに電力を供給する電気接続を示した図である。
【００１４】
シーズヒータ７は、発熱するヒータ線４の位置を一端側に寄せて設けているもので、シーズヒータａ７ａは給湯口１１のある上側（上方）にヒータ線４が位置するよう設けて給湯口１１から出る水を加熱できる構造とし、シーズヒータｂ７ｂとシーズヒータｃ７ｃは給水口１０のある下側（下方）にヒータ線４が位置するように設けて給水口１０から供給される水を加熱できる構造としている。通常のヒータ線が中央に有るシーズヒータを貯湯タンク６の上側、下側に設けて前記構成を達成しても良い。
【００１５】
貯湯タンク６内の水の加熱は、お湯の使用状況に応じて複数のＯＮ／ＯＦＦ切り替え装置５を切り替える事で前記設けたシーズヒータ７に供給する電力を変更することで、効率良く加熱できる回路構成としている。
【００１６】
お湯を大量に使用してお湯切れが生じる恐れが生じた時は、図３に示すように給水口１０のある下側に設けたシーズヒータｂ７ｂとシーズヒータｃ７ｃとを並列接続とし、この並列状態に給湯口１１のある上側に設けたシーズヒータａ７ａを直列に接続することで、給水口１０のある下側のヒータ（ヒータ線ｂ４ｂとヒータ線ｃ４ｃ）で貯湯タンク６に入ってくる水を加熱し、給湯口１１から出ていく水を高い電力を供給したヒータ（ヒータ線ａ４ａ）で必要温度まで加熱するものである。
【００１７】
お湯を使用していない保温時や少量のお湯を使用している時は、図４に示すように各ヒータ（ヒータ線ａ４ａ、ヒータ線ｂ４ｂ、ヒータ線ｃ４ｃ）を直列に接続する事で、少ない電力で貯湯タンク６内の水を加熱するものである。
【００１８】
温度検出手段９は、貯湯タンク６内の水の温度を検知するものでサーミスタなどが使用される。
【００１９】
開閉手段８は、貯湯タンク６内の水の温度を一定に保つようにシーズヒータ７への電力の供給を制御するもので、温度検出手段９によって前記水の温度を検出し制御手段（図示無し）によって制御される。また前記ＯＮ／ＯＦＦ切り替え装置５も同様に動作を制御される。
【００２０】
本実施例は、以上の構成からなり、次に動作について説明する。
【００２１】
お湯が使用されていない場合は、貯湯タンク６内の水の温度を略一定に保つように前記制御手段は制御するもので、温度検出手段９で貯湯タンク６内の水の温度を検知して特定の温度より低くなると、図４に示す接続となるようにＯＮ／ＯＦＦ切り替え装置５を制御して、開閉手段８を閉成してシーズヒータ７へ電力を供給して水を加熱し、該水の温度が特定の温度以上に上昇すると開閉手段８を開成して電力の供給を停止するものである。
【００２２】
この場合の貯湯タンク６内の水の加熱は、貯湯タンク６内の下側の加熱が強くすることで貯湯タンク６内の水が貯湯タンク６内全体で対流を起こして水全体が効率良く加熱される。
【００２３】
水栓１０１が開成されてお湯が使用されると、前記制御手段は水の使用状態を温度検出手段９の検知温度で判断してＯＮ／ＯＦＦ切り替え装置５を制御する。
【００２４】
水の使用量が少ない時は検知温度の下降温度も少なく、この場合は、給水口１０より水の流入も少ない事から、図４に示した各ヒータ（ヒータ線ａ４ａ、ヒータ線ｂ４ｂ、ヒータ線ｃ４ｃ）を直列に接続する事で少ない電力で貯湯タンク６内の水を加熱する。この場合、給水口１０から流入する水は少ないことから、貯湯タンク６内の下側を強く加熱することで効率良く水を加熱するものである。
【００２５】
上記制御で加熱を行っても水温の低下が止まらない場合や、水温の低下率が大きい場合は、図３に示した給水口１０のある下側に設けたシーズヒータｂ７ｂとシーズヒータｃ７ｃとを並列接続とし、この並列状態に給湯口１１のある上側に設けたシーズヒータａ７ａを直列に接続制御を行い、給水口１０から流入する水を加熱し、給湯口１１から水栓１０１に流れていく水の加熱を強くすることでお湯切れを防止するものである。
【００２６】
以上本発明によれば、洗面台の下などに収納して使用する小型の電気温水器のお湯切れを防止することができる。
【符号の説明】
【００２７】
５  ＯＮ／ＯＦＦ切り替え装置
６  貯湯タンク
７  シーズヒータ
８  開閉手段
９  温度検出手段
１０  給水口
１１  給湯口
１２  給水管
１３  給湯管
１００  電気温水器
【図１】
2018146151.tif 000003
【図２】
2018146151.tif 000004
【図３】
2018146151.tif 000005
【図４】
2018146151.tif 000006